(57)【要約】【課題】所望する任意のタイミングでエリアの無線品質を測定できること。【解決手段】基地局１００は、無線品質の測定指示要求に基づき、配下の端末１１０に対しＳＵＰＬ再起動の情報を含むページング信号を送信する通信制御部を備える。端末１１０は、基地局１００から受信したページング信号にＳＵＰＬ再起動を指示する情報が含まれている場合、ＳＵＰＬ再起動して得た無線品質および現在の位置の情報を基地局１００に送信する通信制御部を備える。【選択図】図１
2018050204.tif 000002
【特許請求の範囲】
【請求項１】
基地局と、当該基地局と無線通信を行う端末とを含む通信システムにおいて、
前記基地局は、
無線品質の測定指示要求に基づき、配下の前記端末に対し位置特定プロトコルの再起動を指示する情報を含むページング信号を送信する制御部を備え、
前記端末は、
前記基地局から受信した前記ページング信号に前記再起動を指示する情報が含まれている場合、前記位置特定プロトコルを再起動して得た前記無線品質および現在の位置の情報を前記基地局に送信する制御部を備えた、
ことを特徴とする通信システム。
【請求項２】
前記基地局の前記制御部は、
前記測定指示要求に基づき、前記ページング信号の未割り当て領域に前記位置特定プロトコルの再起動を指示する情報を示すフラグを格納することを特徴とする請求項１に記載の通信システム。
【請求項３】
前記基地局の前記制御部は、
通常のページングを行うタイミング以外のタイミングで前記測定指示要求を受けたときには、当該測定指示要求を受けたタイミングで前記位置特定プロトコルの再起動を指示する情報を含ませた前記ページング信号を送信することを特徴とする請求項１または２に記載の通信システム。
【請求項４】
前記基地局の前記制御部は、
前記端末から受信した前記無線品質および前記端末の位置の情報を前記測定指示要求元に送信することを特徴とする請求項１〜３のいずれか一つに記載の通信システム。
【請求項５】
さらに、前記基地局に接続される無線品質管理サーバを含み、
前記無線品質管理サーバは、前記無線品質の測定指示要求を前記基地局に送信し、前記基地局から前記無線品質および現在の位置の情報を受信する制御部を備えた、
ことを特徴とする請求項１〜４のいずれか一つに記載の通信システム。
【請求項６】
前記無線品質管理サーバの前記制御部は、
入力される前記無線品質の測定指示要求のエリアに基づき、当該エリアに位置する前記基地局を特定し、
特定した前記基地局に対し、前記測定指示要求を送信することを特徴とする請求項５に記載の通信システム。
【請求項７】
無線品質の測定指示要求に基づき、配下の端末に対し位置特定プロトコルの再起動を指示する情報を含むページング信号を送信し、
前記端末の前記位置特定プロトコルの再起動に基づき、前記無線品質および前記端末の位置の情報を前記端末から受信する制御部を備えた、
ことを特徴とする基地局。
【請求項８】
前記基地局の前記制御部は、
前記測定指示要求に基づき、前記ページング信号の未割り当て領域に前記位置特定プロトコルの再起動を指示するフラグを格納することを特徴とする請求項７に記載の基地局。
【請求項９】
基地局との間で通信を行う端末において、
前記基地局から受信した前記ページング信号に位置特定プロトコルの再起動を指示する情報が含まれているか否かを判断し、含まれている場合には前記位置特定プロトコルの再起動を実施して得た無線品質および現在の位置の情報を前記基地局に送信する制御部を備えた、
ことを特徴とする端末。
【請求項１０】
基地局と、当該基地局と無線通信を行う端末との通信方法において、
前記基地局は、
無線品質の測定指示要求に基づき、配下の前記端末に対し位置特定プロトコルの再起動を指示する情報を含むページング信号を送信し、
前記端末は、
前記基地局から受信した前記ページング信号に前記再起動を指示する情報が含まれている場合、前記位置特定プロトコルを再起動して得た前記無線品質および現在の位置の情報を前記基地局に送信する、
ことを特徴とする通信方法。
【発明の詳細な説明】
【技術分野】
【０００１】
本発明は、光信号を伝送する基地局、端末、通信システムおよび通信方法に関する。
【背景技術】
【０００２】
無線通信事業者（キャリア）は、基地局のエリア内の通信状況（電波状況）を改善のために、エリアの無線品質の取得を行う。例えば、作業者によるエリア内での測定器を用いた無線品質の測定や、電測車を用いた無線品質の測定等が行われている。また、ユーザの携帯電話（端末）の通信時の無線状況と位置情報から各エリアの無線品質を収集する方法がある。
【０００３】
端末による無線品質の測定は、一般的にＡ−ＧＰＳ（Ａｓｓｉｓｔｅｄ  Ｇｌｏｂａｌ  Ｐｏｓｉｔｉｏｎｉｎｇ  Ｓｙｓｔｅｍ）が用いられ、測定位置の特定プロトコルとしてＳＵＰＬ（Ｓｅｃｕｒｅ  Ｕｓｅｒ  Ｐｌａｎｅ  Ｌｏｃａｔｉｏｎ）が使用される。端末は、ＳＵＰＬを起動してＧＰＳ測位を実施し、この際、無線品質を同時に上位（基地局側）へ通知することで、端末のユーザが操作等を意識的に行うことなく、エリアの通信状況を取得できる。ＳＵＰＬの起動トリガとしては、定期起動（例えば、２時間に１回）、およびユーザの端末操作に基づく起動（例えばマップのアプリケーション起動操作）、がある。
【０００４】
従来、データ管理装置が一つの基地局に測定開始を指示することで、基地局が端末に測定開始を指示し、端末が電波状況の測定と測位を行う技術が開示されている（例えば、下記特許文献１参照。）。また、エリア品質情報測定指示が基地局測位処理要求に付加されていた場合に、ＳＵＰＬを用いたＡ−ＧＰＳによる測位とともにエリアの無線品質を測定する技術が開示されている（例えば、下記特許文献２参照。）。
【先行技術文献】
【特許文献】
【０００５】
【特許文献１】国際公開第２００９／０１１０６５号
【特許文献２】特開２０１５−２７５３２号公報
【発明の概要】
【発明が解決しようとする課題】
【０００６】
しかし、上記従来の技術では、リアルタイムにエリアの無線品質を測定することができなかった。従来、ユーザの操作を行わずにＳＵＰＬを起動させるには、定期起動を待つしかなく、例えば２時間に１回の頻度の測定となるため、保守者が知りたいタイミングで無線品質を取得することができない。
【０００７】
一つの側面では、本発明は、所望する任意のタイミングでエリアの無線品質を測定できることを目的とする。
【課題を解決するための手段】
【０００８】
一つの案では、基地局と、当該基地局と無線通信を行う端末とを含む通信システムにおいて、前記基地局は、無線品質の測定指示要求に基づき、配下の前記端末に対し位置特定プロトコルの再起動を指示する情報を含むページング信号を送信する制御部を備え、前記端末は、前記基地局から受信した前記ページング信号に前記再起動を指示する情報が含まれている場合、前記位置特定プロトコルを再起動して得た前記無線品質および現在の位置の情報を前記基地局に送信する制御部を備えた、ことを要件とする。
【発明の効果】
【０００９】
一つの実施形態によれば、所望する任意のタイミングでエリアの無線品質を測定できるという効果を奏する。
【図面の簡単な説明】
【００１０】
【図１】図１は、実施の形態の通信システムの構成例を示す図である。
【図２】図２は、実施の形態の基地局の構成例を示す図である。
【図３】図３は、実施の形態の端末の構成例を示す図である。
【図４】図４は、実施の形態の無線品質管理サーバの構成例を示す図である。
【図５】図５は、実施の形態の基地局のハードウェア構成例を示す図である。
【図６】図６は、実施の形態の端末のハードウェア構成例を示す図である。
【図７】図７は、実施の形態の無線品質管理サーバのハードウェア構成例を示す図である。
【図８】図８は、実施の形態の基地局が送信するページングの内容例を示す図表である。（その１）
【図９】図９は、実施の形態の基地局が送信するページングの内容例を示す図表である。（その２）
【図１０】図１０は、実施の形態の基地局が送信するページングの内容例を示す図表である。（その３）
【図１１】図１１は、実施の形態の通信システムの処理内容を示すシーケンス図である。
【図１２】図１２は、実施の形態の無線品質管理サーバが行う処理例を示すフローチャートである。
【図１３】図１３は、実施の形態の基地局が行う処理例を示すフローチャートである。
【図１４】図１４は、実施の形態の端末が行う処理例を示すフローチャートである。
【発明を実施するための形態】
【００１１】
（実施の形態）
図１は、実施の形態の通信システムの構成例を示す図である。通信システムは、複数の無線の基地局１００と、各基地局１００の通信エリア（セル）内に位置する複数の携帯電話等の端末（移動機）１１０と、を含む。
【００１２】
各基地局１００は、ネットワーク網（アクセスネットワーク）１２０を介して無線品質管理サーバ１３０に接続されている。無線品質管理サーバ１３０は、保守端末１４０に接続されている。
【００１３】
保守者が保守端末１４０を操作し、無線品質を測定したいエリアＡを指定して無線品質の測定指示要求を出力すると（Ｓ１）、無線品質管理サーバ１３０は、エリアＡをカバーしている一つまたは複数の基地局１００に測定指示要求を送信する（Ｓ２）。
【００１４】
無線品質管理サーバ１３０から測定指示要求を受けた基地局１００（１００ａ）は、自局のエリアＡ配下に位置している複数の端末１１０（１１０ａ）に対して位置特定プロトコル（ＳＵＰＬ）の再起動要求を実施する（Ｓ３）。図１には、エリアＡの基地局を１００ａ、基地局１００ａ配下の端末を１１０ａと記載してある。
【００１５】
これにより、端末１１０ａは、ＳＵＰＬ再起動要求に基づく再起動を行い、端末１１０ａが測定した無線品質を基地局１００ａに送る（Ｓ４）。基地局１００ａは、各端末１１０ａが測定した無線品質の情報を無線品質管理サーバ１３０に送る（Ｓ５）。これにより、保守端末１４０は、無線品質管理サーバ１３０からエリアＡの無線品質の情報を取得できる。
【００１６】
実施の形態では、基地局１００ａは、ページング信号にＳＵＰＬ再起動フラグを付与して端末１１０ａに送信する。端末１１０ａは、ページング信号を受けた際、ページング信号に含まれるＳＵＰＬ再起動フラグがＯＮであれば、ＳＵＰＬ再起動を実施する。ＳＵＰＬ再起動時に、端末１１０ａは、無線品質の情報を基地局１００ａに送信する。
【００１７】
これにより、無線品質管理サーバ１３０は、所望するエリアＡの無線品質の情報をリアルタイムで取得でき、保守端末１４０に出力して表示やエリアＡでの通信品質解析等を行えるようになる。
【００１８】
図２は、実施の形態の基地局の構成例を示す図である。基地局１００は、無線処理部２０１と、通信制御部２０２と、信号送受信部２０３と、を含む。無線処理部２０１は、端末１１０との間の無線通信を行う。信号送受信部２０３は、ネットワーク網１２０側に設けられる無線品質管理サーバ１３０との間の信号の送受信を行う。
【００１９】
通信制御部２０２は、端末信号処理部２１１と、ページング送信処理部２１２と、ネットワーク信号処理部２１３と、データ処理部２１４と、を含む。端末信号処理部２１１は、無線処理部２０１を介して端末１１０との間で送受信する信号処理を行う。ネットワーク信号処理部２１３は、信号送受信部２０３を介してネットワーク網側（無線品質管理サーバ１３０）との間で送受信する信号処理を行う。
【００２０】
ページング送信処理部２１２は、無線品質管理サーバ１３０から測定指示要求を受けた際に、ＳＵＰＬ再起動フラグを付与したページング信号の送信処理を行う。すなわち、ページング送信処理部２１２は、通常のページングを行うタイミング以外のタイミングで無線品質の測定指示要求を受けたときには、この測定指示要求を受けたタイミングでＳＵＰＬ再起動の情報を含ませたページング信号を送信処理する。
【００２１】
データ処理部２１４は、端末１１０とネットワーク網１２０との間で送受信するデータ処理を行う。このデータは、端末１１０がＳＵＰＬ再起動時に無線品質管理サーバ１３０に送信する無線品質の情報を含む。このほかのデータとしては、端末１１０がネットワーク網１２０を介して他の基地局１００やサーバとの間で送受信するデータ（上りデータ）、サーバがネットワーク網１２０を介して端末１１０に送信するデータ（下りデータ）、等を含む。
【００２２】
図３は、実施の形態の端末の構成例を示す図である。端末１１０は、無線処理部３０１と、通信制御部３０２と、ユーザインタフェース部３０３と、を含む。無線処理部３０１は、基地局１００との間の無線通信を行う。ユーザインタフェース部３０３は、端末１１０に設けられるユーザインタフェースであり、例えば、各種アプリケーションと、表示、音声出力等の機能部である。
【００２３】
通信制御部３０２は、基地局インタフェース信号処理部３１１と、ページング信号確認処理部３１２と、ＳＵＰＬ再起動処理部３１３と、ユーザインタフェース信号処理部３１４と、を含む。基地局インタフェース信号処理部３１１は、無線処理部３０１を介して基地局１００との間で送受信する信号処理を行う。ユーザインタフェース信号処理部３１４は、ユーザインタフェース部３０３との間で入出力する信号を処理する。
【００２４】
ページング信号確認処理部３１２は、基地局１００から送出されるページング信号に対するページング処理を行う。そして、実施の形態では、ページング信号確認処理部３１２は、ページング・フォーマットの一部にＳＵＰＬ再起動の情報が付与されている場合、ＳＵＰＬ再起動処理部３１３にＳＵＰＬ再起動の制御信号を出力する。例えば、ページング信号からＳＵＰＬ再起動フラグを抽出し、ビット「ＯＮ／ＯＦＦ」がＯＮであれば、ＳＵＰＬ再起動と判断する。
【００２５】
ＳＵＰＬ再起動処理部３１３は、ページング信号確認処理部３１２からＳＵＰＬ再起動の制御を受けると、ＳＵＰＬ再起動処理を実行する。ＳＵＰＬ再起動処理時、ＳＵＰＬ再起動処理部３１３は、端末１１０は基地局１００との間の通信の無線品質を測定する。
【００２６】
端末１１０が測定する無線品質は、例えば、下記（１）〜（３）がある。これらは、３ＧＰＰの通信規格における端末１１０が基地局１００に通知するメッセージ（Ｍｅａｓｕｒｅｍｅｎｔ  ｒｅｐｏｒｔ）に規定されている。
（１）Ｉｎｔｒａ−ｆｒｅｑｕｅｎｃｙ  ｍｅａｓｕｒｅｍｅｎｔ（Ａｃｔｉｖｅ  ｓｅｔで使用されている周波数と同一周波数での周辺セルの伝搬損失）
（２）Ｔｒａｆｆｉｃ  ｖｏｌｕｍｅ  ｍｅａｓｕｒｅｍｅｎｔ（上りトラフィック量）
（３）ＵＥ  Ｉｎｔｅｒｎａｌ  ｍｅａｓｕｒｅｍｅｎｔ（端末１１０の送信電力と受信レベル）
【００２７】
また、ＳＵＰＬ再起動処理部３１３は、ＳＵＰＬ再起動時、端末１１０の位置を測位する。測位データは、例えば端末のＧＰＳ機能部から取得する。無線品質は、例えば無線処理部３０１から取得する。
【００２８】
データ処理部３１５は、端末１１０がネットワーク網１２０との間で送受信するデータ処理を行う。このデータは、端末１１０がＳＵＰＬ再起動時に無線品質管理サーバ１３０に送信する無線品質（および端末１１０の位置）の情報を含む。このほかのデータとしては、端末１１０がネットワーク網１２０を介して他の基地局１００やサーバとの間で送受信するデータ（上りデータ）、サーバがネットワーク網１２０を介して端末１１０に送信するデータ（下りデータ）、等を含む。
【００２９】
図４は、実施の形態の無線品質管理サーバの構成例を示す図である。無線品質管理サーバ１３０は、保守端末インタフェース４０１と、信号送受信部４０２と、データ処理部４０３と、データベース（ＤＢ）４０４と、を含む。保守端末インタフェース４０１は、保守端末１４０との間の信号の入出力を行う。信号送受信部４０２は、ネットワーク網１２０を介して基地局１００との間で信号（データ）の送受信を行う。
【００３０】
データ処理部４０３は、保守端末処理部４１１と、信号処理部４１２と、無線品質測定要求処理部４１３と、データベース処理部４１４と、を含む。保守端末処理部４１１は、保守端末インタフェース４０１を介して保守端末１４０との間で入出力する信号（データ）の処理を行う。信号処理部４１２は、信号送受信部４０２を介して基地局１００との間で送受信する信号（データ）の処理を行う。
【００３１】
無線品質測定要求処理部４１３は、保守端末１４０から入力される、無線品質の測定指示要求に基づき、この測定指示要求のエリアに対応する無線品質の情報を保守端末１４０に出力する。この際、無線品質測定要求処理部４１３は、測定指示要求のエリアに対応する基地局１００に対して無線品質の測定指示要求を送信する。
【００３２】
そして、無線品質測定要求処理部４１３は、基地局１００から無線品質の情報を受信すると、無線品質と端末１１０の位置の情報を保守端末１４０に出力する。
【００３３】
データベース４０４には、基地局１００毎の収容ユーザ（識別子等で識別された各端末１１０）毎の測定データ（位置情報、無線品質）、等が格納される。データベース処理部４１４は、データベース４０４の検索および更新を行う。
【００３４】
また、キャリア（通信事業者）は、基地局１００の情報、例えば、基地局１００の設置場所や対応周波数をキャリアサーバ等で管理している。無線品質管理サーバ１３０は、このキャリアサーバと通信接続で連携することにより、測定指示要求が示すエリアに対応する複数の基地局１００を検索出力することができる。
【００３５】
例えば、無線品質測定要求処理部４１３が測定指示要求のエリアを特定する際、データベース処理部４１４にアクセスする。そして、データベース４０４に予め基地局１００の配置情報を格納しておく。これにより、無線品質測定要求処理部４１３は、測定指示要求のエリアに対応する基地局１００をデータベース４０４を検索することで特定することができる。
【００３６】
また、データベース処理部４１４が端末１１０が送信した毎の無線品質および端末１１０の位置をデータベース４０４に格納しておく。これにより、基地局１００の収容ユーザ（端末１１０）、測定データである無線品質および端末１１０の位置を常に最新の情報として保持できる。保守端末１４０から無線品質の測定指示要求の入力時、無線品質測定要求処理部４１３は、データベース４０４から該当するエリアの無線品質（および位置等）を保守端末１４０に出力することもできる。但し、端末１１０に送信した測定指示要求の返答として端末１１０から受信した無線品質および端末１１０の位置が最新の情報であるため、この情報は保守端末１４０に出力する。
【００３７】
図５は、実施の形態の基地局のハードウェア構成例を示す図である。基地局１００は、ＣＰＵ５０１と、メモリ５０２と、ＤＳＰ（Ｄｉｇｉｔａｌ  Ｓｉｇｎａｌ  Ｐｒｏｃｅｓｓｏｒ）５０３と、ネットワークインタフェース（ＩＦ）５０４と、ＲＦ（Ｒａｄｉｏ  Ｆｒｅｑｕｅｎｃｙ）回路５０５と、アンテナ５０６、とを含む。メモリ５０２は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、フラッシュＲＯＭ等、を含む。
【００３８】
ＤＳＰ５０３は、例えば、通信制御部２０２の機能を実現する。ＣＰＵ５０１がメモリ５０２に格納された制御プログラムを実行し、この際、メモリ５０２の一部を作業領域として使用することにより、図２に示す基地局１００全体を制御する機能を実現する。このほか、ＣＰＵ５０１がＤＳＰ５０３と処理分担して通信制御部２０２の機能を実現することもできる。
【００３９】
ＲＦ回路５０５は、図２の無線処理部２０１の機能を実現し、ネットワークＩＦ５０４は、図２の信号送受信部２０３の機能を実現する。
【００４０】
図６は、実施の形態の端末のハードウェア構成例を示す図である。端末１１０は、ＣＰＵ６０１と、メモリ６０２と、ＲＦ回路６０３と、アンテナ６０４、ＧＰＳ６０５、とを含む。ＣＰＵ６０１がメモリ６０２に格納された制御プログラムを実行し、この際、メモリ６０２の一部を作業領域として使用することにより、図３に示す端末１１０の通信制御部３０２の機能を実現する。また、ＲＦ回路６０３は、図３の無線処理部３０１の機能を実現する。また、ＧＰＳ６０５は、端末１１０の現在位置を測位する。
【００４１】
図７は、実施の形態の無線品質管理サーバのハードウェア構成例を示す図である。無線品質管理サーバ１３０は、ＣＰＵ７０１と、メモリ７０２と、ネットワークＩＦ７０３と、とを含む。
【００４２】
ＣＰＵ７０１がメモリ７０２に格納された制御プログラムを実行し、この際、メモリ７０２の一部を作業領域として使用することにより、図４に示す無線品質管理サーバ１３０のデータ処理部４０３の機能を実現することができる。また、ネットワークＩＦ７０３により、図４の保守端末インタフェース４０１、信号送受信部４０２の機能を実現できる。また、メモリ７０２を用いることで図４のデータベース４０４の機能を実現できる。
【００４３】
図８〜図１０は、実施の形態の基地局が送信するページングの内容例を示す図表である。図８には、基地局１００が端末の送信するページング８００の内容を示す。ページング８００には、メッセージタイプ（Ｍｅｓｓａｇｅ  Ｔｙｐｅ）と、ページングレコードリスト（Ｐａｇｉｎｇ  ｒｅｃｏｒｄ  ｌｉｓｔ）と、最大ｎ（例えば、ｎ＝８）個のページングレコード（Ｐａｇｉｎｇ  ｒｅｃｏｒｄ）＃１〜＃ｎと、ＢＣＣＨ（Ｂｒｏａｄｃａｓｔ  Ｃｏｎｔｒｏｌ  ＣＨａｎｎｅｌ）  Ｍｏｄｉｆｉｃａｔｉｏｎ  ｉｎｆｏ（システム情報）と、ＥＴＷＳ（Ｅａｒｔｈｑｕａｋｅ  ａｎｄ  Ｔｓｕｎａｍｉ  Ｗａｒｎｉｎｇ  Ｓｙｓｔｅｍ、警報配信情報）８０１と、を含む。
【００４４】
Ｍｅｓｓａｇｅ  Ｔｙｐｅは、送信するメッセージのタイプであり、実施の形態では、「Ｐａｇｉｎｇ」が設定される。Ｐａｇｉｎｇ  ｒｅｃｏｒｄ＃１〜＃ｎ（ｎ＝１〜８）には、ページングによる着信の端末１１０の情報が設定される。システム情報には、端末１１０のシステム情報が設定される。ＥＴＷＳ８０１には、Ｗａｒｎｉｎｇ  Ｔｙｐｅ８０１ａと、Ｍｅｓｓａｇｅ  Ｉｄｅｎｔｉｆｉｅｒ８０１ｂと、Ｓｅｒｉａｌ  Ｎｕｍｂｅｒ８０１ｃと、が設定される。
【００４５】
図９には、図８のＥＴＷＳ８０１のＷａｒｎｉｎｇ  Ｔｙｐｅ８０１ａへのＳＵＰＬ再起動フラグの設定例を示す。図９の（ａ）に示すように、Ｗａｒｎｉｎｇ  Ｔｙｐｅ８０１ａは２オクテットを有する。図９の（ｂ）には、各フィールドの値（Ｖａｌｕｅ）の例を示す。そして、図９の（ｃ）に示すように、Ｗａｒｎｉｎｇ  Ｔｙｐｅの値（Ｖａｌｕｅ）としては、値”０００００００”が「Ｅａｒｔｈｑｕａｋｅ（地震）」、値”００００００１”が「Ｔｓｕｎａｍｉ（津波）」、…として複数の警報内容が予め割り当てられている。
【００４６】
実施の形態では、ページング８００の未割当領域でありＥＴＷＳ８０１の未割り当ての値”００００１０１”−”１１１１１１１”部分に、ＳＵＰＬ再起動フラグを割り当てる。例えば、未割り当ての値”００００１０１”−”１１１１１１１”のいずれかに、予め定めたＳＵＰＬ再起動を示す値を格納することにより、ＳＵＰＬ再起動フラグが「ＯＮ」であることを示すものとする。
【００４７】
図１０には、図８のＥＴＷＳ８０１のＳｅｒｉａｌ  Ｎｕｍｂｅｒ８０１ｃの内容例を示す。図１０の（ａ）に示すように、Ｓｅｒｉａｌ  Ｎｕｍｂｅｒ８０１ｃは２オクテットを有し、メッセージコード（Ｍｅｓｓａｇｅ  Ｃｏｄｅ）を含む。図１０の（ｂ）には、メッセージコード例を示し、図１０の（ｃ）には、Ｓｅｒｉａｌ  Ｎｕｍｂｅｒ８０１ｃの値と設定内容が予め割り当てられている。
【００４８】
図１１は、実施の形態の通信システムの処理内容を示すシーケンス図である。実施の形態の通信システムを構成する基地局１００、端末１１０、無線品質管理サーバ１３０、保守端末１４０間における情報の送受信について説明する。
【００４９】
はじめに、保守者が保守端末１４０を操作し、無線品質を測定したいエリアＡを指定して無線品質の測定指示要求を無線品質管理サーバ１３０に出力する（Ｓ１）。これにより、無線品質管理サーバ１３０は、エリアＡをカバーしている一つまたは複数の基地局１００（図１の基地局１００ａ）に測定指示要求を送信する（Ｓ２）。
【００５０】
測定指示要求を受けた基地局１００は、自局のエリアＡ配下の複数の端末１１０（図１の端末１１０ａ）に対してＳＵＰＬ再起動要求を含むページング信号を送信する（Ｓ３）。
【００５１】
ページング信号を受信した端末１１０ａは、ページング信号にＳＵＰＬ再起動要求が含まれていればＳＵＰＬ再起動を行い、ＳＵＰＬ再起動時に端末１１０は、無線品質を測定して基地局１００に通知する（Ｓ４）。この際、端末１１０は、無線品質とともに端末１１０の現在の位置を基地局１００に通知する。
【００５２】
基地局１００は、複数の各端末１１０がそれぞれ現在の位置で測定した無線品質の情報を無線品質管理サーバ１３０に送る。これにより、保守端末１４０でエリアＡ内に位置している複数の端末１１０の現在位置での無線品質の情報を取得できる。
【００５３】
図１２は、実施の形態の無線品質管理サーバが行う処理例を示すフローチャートである。無線品質管理サーバ１３０のＣＰＵ７０１が行う処理例について説明する。
【００５４】
はじめに、無線品質管理サーバ１３０のＣＰＵ７０１は、保守端末１４０から無線品質を測定したいエリアが指定された無線品質の測定指示要求が入力されると、指定されたエリアをカバーしている基地局１００を特定する（ステップＳ１２０１）。無線品質管理サーバ１３０のデータベース４０４には、エリア（セル）の情報と、エリアに対応する基地局１００の情報が格納されている。ＣＰＵ７０１は、データベース処理部４１４にエリアを検索指示することで、エリアをカバーしている基地局１００を検索結果として出力する。
【００５５】
次に、ＣＰＵ７０１は、検索結果として得たエリアに該当する基地局１００に対し、無線品質の測定指示要求を送信する（ステップＳ１２０２）。なお、測定指示要求のエリアに位置している基地局１００が複数であれば、ＣＰＵ７０１は、該当するこれら複数の基地局１００に対して無線品質の測定指示要求を送信する。
【００５６】
この後、ＣＰＵ７０１は、基地局１００から無線品質の情報の受信を待機する（ステップＳ１２０３：Ｎｏのループ）。無線品質の情報を受信すると（ステップＳ１２０３：Ｙｅｓ）、ＣＰＵ７０１は、受信した無線品質の情報を保守端末１４０に出力し（ステップＳ１２０４）、以上の処理を終了する。
【００５７】
無線品質の情報には、無線品質を送信した複数の端末１１０の現在の位置が含まれている。これにより、保守端末１４０では、指定したエリア内において無線品質を測定した複数の端末１１０の位置毎の無線品質を取得できるようになる。同様に、無線品質管理サーバ１３０においても、指定したエリア内において無線品質を測定した複数の端末１１０の位置毎の無線品質を取得でき、ＣＰＵ７０１は、データベース４０４に無線品質を測定した複数の端末１１０の位置毎の無線品質を格納保持できる。
【００５８】
図１３は、実施の形態の基地局が行う処理例を示すフローチャートである。基地局１００のＣＰＵ５０１が行う処理例について説明する。
【００５９】
はじめに、基地局１００のＣＰＵ５０１は、無線品質管理サーバ１３０から信号を受信したとき（ステップＳ１３０１）、受信した信号が無線品質の測定指示要求であるかを判断する（ステップＳ１３０２）。受信した信号が無線品質の測定指示要求であれば（ステップＳ１３０２：Ｙｅｓ）、ＣＰＵ５０１は、ステップＳ１３０３の処理に移行し、受信した信号が無線品質の測定指示要求でなければ（ステップＳ１３０２：Ｎｏ）、以上の処理を終了する。
【００６０】
ステップＳ１３０３では、ＣＰＵ５０１は、自局の配下の端末１１０にＳＵＰＬ再起動フラグ付与してページング信号を送信する（ステップＳ１３０３）。
【００６１】
この後、ＣＰＵ５０１は、端末１１０から無線品質の情報の受信を待機する（ステップＳ１３０４：Ｎｏのループ）。無線品質の情報を受信すると（ステップＳ１３０４：Ｙｅｓ）、ＣＰＵ５０１は、受信した無線品質の情報を無線品質管理サーバ１３０に送信（転送）し（ステップＳ１３０５）、以上の処理を終了する。
【００６２】
図１４は、実施の形態の端末が行う処理例を示すフローチャートである。端末１１０のＣＰＵ６０１が行う処理例について説明する。
【００６３】
端末１１０のＣＰＵ６０１は、基地局１００から信号を受信したとき（ステップＳ１４０１）、受信した信号がページング信号であるかを判断する（ステップＳ１４０２）。受信した信号がページング信号であれば（ステップＳ１４０２：Ｙｅｓ）、ＣＰＵ６０１は、ページング信号に含まれるＳＵＰＬ再起動フラグがＯＮであるかを判断する（ステップＳ１４０３）。
【００６４】
そして、ＳＵＰＬ再起動フラグがＯＮであれば（ステップＳ１４０３：Ｙｅｓ）、ＣＰＵ６０１は、ＳＵＰＬ再起動を実施し（ステップＳ１４０４）、以上の処理を終了する。ＳＵＰＬ再起動により、ＣＰＵ６０１は、無線品質を測定し、基地局１００に無線品質（および端末１１０の現在の位置）を送信する。端末１１０が基地局１００に送信した無線品質の情報は、基地局１００が無線品質管理サーバ１３０に送信（転送）する。
【００６５】
なお、上記のステップＳ１４０２において、受信した信号がページング信号でない場合（ステップＳ１４０２：Ｎｏ）には、処理を終了する。また、ステップＳ１４０３において、ＳＵＰＬ再起動フラグがＯＮでない場合（ステップＳ１４０３：Ｎｏ）においても、処理を終了する。
【００６６】
以上説明した通信システムは、保守端末が無線品質の測定対象のエリアを指定することで、無線品質管理サーバがエリアに該当する基地局を特定し、特定した基地局に対し無線品質の測定指示要求を送信する。基地局は、受信した測定指示要求に基づき配下の端末に対しＳＵＰＬ再起動フラグを付与したページング信号を送信する。端末は、ページング信号にＳＵＰＬ再起動フラグが付与されていれば、ＳＵＰＬを再起動し、この再起動によって無線品質を測定し、測定した無線品質の情報を基地局を介して無線品質管理サーバに通知する。
【００６７】
以上の実施の形態によれば、端末は、基地局からＳＵＰＬ再起動フラグが付与されたページング信号を受信したタイミングでＳＵＰＬ再起動を行い、無線品質を測定するため、保守端末は、所望する任意のタイミングで無線品質を取得できる。また、無線品質の測定のために端末のユーザに対しＳＵＰＬ再起動のための何等かの操作を行わせる手間を不要にできる。また、ＳＵＰＬ再起動の情報は、フラグとしてページング信号の未割り当て領域に設定するため、ページング信号の汎用性を維持しつつ、最小限のデータ量で端末に通知できる。
【００６８】
そして、実施の形態では、ユーザの操作を行わずにＳＵＰＬを起動させることができるため、ＳＵＰＬの定期起動（例えば、２時間に１回）を待たずに、保守者が知りたいタイミングでリアルタイムに無線品質を取得できるようになる。
【００６９】
また、無線品質管理サーバは、データベースに基づき、保守端末が指定したエリアに該当する基地局を特定できるため、保守端末はエリア指定するだけで、指定したエリアにおける現在の無線品質の情報を複数の端末から容易に収集できるようになる。また、保守端末で指定した所望するエリアのみの無線品質の収集が行えるようになる。
【００７０】
例えば、既存のネットワーク通信では、トラッキングエリアやロケーションエリアというような広範囲に対してＣＮ（コアネットワーク）からページング送信要求が各基地局に送信される。これに対し、実施の形態では、所望する特定のエリアにだけページングを送信することができる。
【００７１】
ところで、従来技術において、無線品質の測定を行う際に基地局と端末間でテストデータの送受信を実施するものにおいては、このテストデータの送受信は通常の機能ではないため、移動機や端末に機能の追加が必要となる。また、テストデータ送受信時に端末のデータ通信への影響も生じる。この点、実施の形態によれば、基地局と端末間でのテストデータ送受信は実施せず、基地局から端末への指示を既存のメッセージ（ページング）で実施するため、機能の追加を不要にでき、簡単な構成で実現できる。
【００７２】
なお、上述した実施の形態で説明した無線品質の取得にかかる方法は、予め用意された制御プログラムを対象機器（上記基地局、端末、無線品質管理サーバ）のコンピュータ（プロセッサ）で実行することにより実現することができる。本制御プログラムは、磁気ディスク、光ディスク、ＵＳＢ（Ｕｎｉｖｅｒｓａｌ  Ｓｅｒｉａｌ  Ｂｕｓ）フラッシュメモリなどのコンピュータで読み取り可能な記録媒体に記録され、コンピュータによって記録媒体から読み出されることによって実行される。また、制御プログラムは、インターネット等のネットワークを介して配布してもよい。
【００７３】
上述した実施の形態に関し、さらに以下の付記を開示する。
【００７４】
（付記１）基地局と、当該基地局と無線通信を行う端末とを含む通信システムにおいて、
前記基地局は、
無線品質の測定指示要求に基づき、配下の前記端末に対し位置特定プロトコルの再起動を指示する情報を含むページング信号を送信する制御部を備え、
前記端末は、
前記基地局から受信した前記ページング信号に前記再起動を指示する情報が含まれている場合、前記位置特定プロトコルを再起動して得た前記無線品質および現在の位置の情報を前記基地局に送信する制御部を備えた、
ことを特徴とする通信システム。
【００７５】
（付記２）前記基地局の前記制御部は、
前記測定指示要求に基づき、前記ページング信号の未割り当て領域に前記位置特定プロトコルの再起動を指示する情報を示すフラグを格納することを特徴とする付記１に記載の通信システム。
【００７６】
（付記３）前記基地局の前記制御部は、
通常のページングを行うタイミング以外のタイミングで前記測定指示要求を受けたときには、当該測定指示要求を受けたタイミングで前記位置特定プロトコルの再起動を指示する情報を含ませた前記ページング信号を送信することを特徴とする付記１または２に記載の通信システム。
【００７７】
（付記４）前記基地局の前記制御部は、
前記端末から受信した前記無線品質および前記端末の位置の情報を前記測定指示要求元に送信することを特徴とする付記１〜３のいずれか一つに記載の通信システム。
【００７８】
（付記５）さらに、前記基地局に接続される無線品質管理サーバを含み、
前記無線品質管理サーバは、前記無線品質の測定指示要求を前記基地局に送信し、前記基地局から前記無線品質および現在の位置の情報を受信する制御部を備えた、
ことを特徴とする付記１〜４のいずれか一つに記載の通信システム。
【００７９】
（付記６）前記無線品質管理サーバの前記制御部は、
入力される前記無線品質の測定指示要求のエリアに基づき、当該エリアに位置する前記基地局を特定し、
特定した前記基地局に対し、前記測定指示要求を送信することを特徴とする付記５に記載の通信システム。
【００８０】
（付記７）無線品質の測定指示要求に基づき、配下の端末に対し位置特定プロトコルの再起動を指示する情報を含むページング信号を送信し、
前記端末の前記位置特定プロトコルの再起動に基づき、前記無線品質および前記端末の位置の情報を前記端末から受信する制御部を備えた、
ことを特徴とする基地局。
【００８１】
（付記８）前記基地局の前記制御部は、
前記測定指示要求に基づき、前記ページング信号の未割り当て領域に前記位置特定プロトコルの再起動を指示するフラグを格納することを特徴とする付記７に記載の基地局。
【００８２】
（付記９）基地局との間で通信を行う端末において、
前記基地局から受信した前記ページング信号に位置特定プロトコルの再起動を指示する情報が含まれているか否かを判断し、含まれている場合には前記位置特定プロトコルの再起動を実施して得た無線品質および現在の位置の情報を前記基地局に送信する制御部を備えた、
ことを特徴とする端末。
【００８３】
（付記１０）基地局と、当該基地局と無線通信を行う端末との通信方法において、
前記基地局は、
無線品質の測定指示要求に基づき、配下の前記端末に対し位置特定プロトコルの再起動を指示する情報を含むページング信号を送信し、
前記端末は、
前記基地局から受信した前記ページング信号に前記再起動を指示する情報が含まれている場合、前記位置特定プロトコルを再起動して得た前記無線品質および現在の位置の情報を前記基地局に送信する、
ことを特徴とする通信方法。
【００８４】
（付記１１）前記基地局は、
前記測定指示要求に基づき、前記ページング信号の未割り当て領域に前記位置特定プロトコルの再起動を指示する情報を示すフラグを格納して前記端末に送信することを特徴とする付記１０に記載の通信方法。
【符号の説明】
【００８５】
１００  基地局
１１０  端末
１２０  ネットワーク網
１３０  無線品質管理サーバ
１４０  保守端末
２０２，３０２  通信制御部
２１２  ページング送信処理部
３１２  ページング信号確認処理部
３１３  ＳＵＰＬ再起動処理部
４０３  データ処理部
４０４  データベース
４１３  無線品質測定要求処理部
４１４  データベース処理部
５０１，６０１，７０１  ＣＰＵ
５０２，６０２，７０２  メモリ
【図１】
2018050204.tif 000003
【図２】
2018050204.tif 000004
【図３】
2018050204.tif 000005
【図４】
2018050204.tif 000006
【図５】
2018050204.tif 000007
【図６】
2018050204.tif 000008
【図７】
2018050204.tif 000009
【図８】
2018050204.tif 000010
【図９】
2018050204.tif 000011
【図１０】
2018050204.tif 000012
【図１１】
2018050204.tif 000013
【図１２】
2018050204.tif 000014
【図１３】
2018050204.tif 000015
【図１４】
2018050204.tif 000016